(57)【要約】【課題】ノイズの影響を極力少なくし、また、遅延プロファイルにおけるピークの裾の部分をレイクフィンガに割り当ててしまうことを防いで所定レベルの受信データを得ること。【解決手段】選択パス位相検出部２０１は、選択したパスの位相を検出する。選択パス範囲決定部２０２は、選択パス位相検出部２０１にて検出した位相を中心として所定範囲を設定する。定数決定部２０３は、外部より定数を設定する。しきい値決定部２０４は、選択パス範囲決定部２０２にて決定した選択パス範囲において、ピーク値に定数を乗算することによってしきい値を設定する。また、選択パス範囲以外の範囲においては、ピーク値に定数を乗算することによって、選択パス範囲に設定したしきい値よりも相関値レベルが小さいしきい値を設定する。【選択図】　　　図２
2004023361.tif 000002
【特許請求の範囲】
【請求項１】
到来波より遅延プロファイルを生成する遅延プロファイル生成手段と、遅延プロファイルの少なくとも１つのピークを検出するピーク検出手段と、前記ピークが検出された位相を１つ含む第１の位相幅及び前記第１の位相幅以外の第２の位相幅とを設定する位相幅設定手段と、前記第１の位相幅に前記第１のしきい値を設定し、前記第２の位相幅に前記第２のしきい値を設定するしきい値設定手段と、遅延プロファイルにおける相関値レベルが前記第１のしきい値及び前記第２のしきい値以上である位相をレイクフィンガに割り当てるパス選択手段と、前記パス選択手段により選択した複数のパスからの到来波を合成する合成手段と、を具備することを特徴とするデータ受信装置。
【請求項２】
前記位相幅設定手段は、前記第１の位相幅に含まれるピークの相関値レベルの大きさに応じて前記第１の位相幅を大きくすることを特徴とする請求項１記載のデータ受信装置。
【請求項３】
前記しきい値設定手段は、前記第１の位相幅毎に前記第１のしきい値の相関値レベルを前記第１の位相幅に含まれるピークの相関値レベルの大きさに応じて大きくすることを特徴とする請求項１または請求項２記載のデータ受信装置。
【請求項４】
前記しきい値設定手段は、前記ピーク検出手段で検出した複数のピークの相関値レベルにおける最大値に所定の定数を乗算して前記第１のしきい値を設定することを特徴とする請求項１から請求項３のいずれかに記載のデータ受信装置。
【請求項５】
前記しきい値設定手段は、前記ピーク検出手段で検出した複数のピーク毎にピークの相関値レベルに所定の定数を乗算して前記第１のしきい値を設定することを特徴とする請求項１から請求項３のいずれかに記載のデータ受信装置。
【請求項６】
雑音レベル検出手段を有し、前記しきい値設定手段は、前記雑音レベル検出手段で検出した雑音レベルに所定の定数を乗算して前記第１のしきい値を設定することを特徴とする請求項１から請求項３のいずれかに記載のデータ受信装置。
【請求項７】
前記定数は、前記ピーク検出手段によって検出した各ピークの相関値レベルに応じて変更することを特徴とする請求項４から請求項６のいずれかに記載のデータ受信装置。
【請求項８】
前記位相幅設定手段は、前記第１の位相幅の範囲内に前記第１の位相幅よりも狭い範囲であってかつピークを含む第３の位相幅を設定し、前記しきい値設定手段は、前記第３の位相幅に前記第１のしきい値よりも相関値レベルが高い第３のしきい値を設定し、前記パス選択手段は、前記第３の位相幅においては前記第３のしきい値以上である位相をレイクフィンガに割り当てることを特徴とする請求項１から請求項７のいずれかに記載のデータ受信装置。
【請求項９】
前記しきい値設定手段は、前記第１の位相幅が重複する場合に相関値レベルが高い方の前記第１のしきい値を選択することを特徴とする請求項１から請求項８のいずれかに記載のデータ受信装置。
【請求項１０】
前記しきい値設定手段は、雑音レベルと遅延プロファイルにおける各ピークの相関値レベルの中の最大値との間に、レベルが一定である第４のしきい値を設定し、前記第１のしきい値及び前記第２のしきい値と前記第４のしきい値とを選択するしきい値選択手段を具備し、前記パス選択手段は、前記しきい値選択手段により前記第４のしきい値を選択した場合に、相関値レベルが前記第４のしきい値以上である位相をレイクフィンガに割り当てることを特徴とする請求項１から請求項９のいずれかに記載のデータ受信装置。
【請求項１１】
前記位相幅設定手段は、前記ピークが検出された位相を１つ含む第４の位相幅及び前記第４の位相幅以外の第５の位相幅を設定し、前記しきい値設定手段は、前記第４の位相幅に第５のしきい値を設定し、前記第５の位相幅に前記第５のしきい値よりもレベルが小さい第６のしきい値を設定し、前記第１のしきい値及び前記第２のしきい値と前記第５のしきい値及び前記第６のしきい値とを選択するしきい値選択手段を具備し、前記パス選択手段は、前記しきい値選択手段により前記第５のしきい値及び前記第６のしきい値を選択した場合に、相関値レベルが前記第５のしきい値及び前記第６のしきい値以上である位相をレイクフィンガに割り当てることを特徴とする請求項１から請求項９のいずれかに記載のデータ受信装置。
【請求項１２】
到来波より遅延プロファイルを生成する遅延プロファイル生成手段と、遅延プロファイルのピークを検出するピーク検出手段と、前記ピーク検出手段によって検出したピークの相関値レベルより低いレベルの第７のしきい値と前記第７のしきい値よりもレベルが小さい第８のしきい値とを設定するしきい値設定手段と、前記第７のしきい値及び前記第８のしきい値を選択するしきい値選択手段と、相関値レベルが前記第７のしきい値若しくは前記第８のしきい値以上であるパスを選択してレイクフィンガに割り当てるパス選択手段と、前記パス選択手段により選択した複数のパスからの到来波を合成する合成手段と、を具備することを特徴とするデータ受信装置。
【請求項１３】
請求項１から請求項１２のいずれかに記載のデータ受信装置を具備することを特徴とする基地局装置。
【請求項１４】
請求項１から請求項１２のいずれかに記載のデータ受信装置を具備することを特徴とする通信端末装置。
【請求項１５】
到来波より遅延プロファイルを生成する遅延プロファイル生成工程と、遅延プロファイルの少なくとも１つのピークを検出するピーク検出工程と、前記ピークが検出された位相を１つ含む第１の位相幅及び前記第１の位相幅以外の第２の位相幅とを設定する位相幅設定工程と、前記第１の位相幅に前記第１のしきい値を設定し、前記第２の位相幅に前記第２のしきい値を設定するしきい値設定工程と、遅延プロファイルにおける相関値レベルが前記第１のしきい値及び前記第２のしきい値以上である位相をレイクフィンガに割り当てるパス選択工程と、選択した複数のパスからの到来波を合成して復号する復号工程と、を具備することを特徴とするデータ復号方法。
【発明の詳細な説明】
【０００１】
【発明の属する技術分野】
本発明は、複数のパスからの到来波を合成して受信データを得るデータ受信装置及びデータ復号方法に関する。
【０００２】
【従来の技術】
従来、データ受信装置は、複数のパスからの到来波より図２９に示すような遅延プロファイルを形成し、遅延プロファイルのピークの相関値レベル２９０１に所定の定数を乗算することによってしきい値２９０２を設定する。そして、遅延プロファイルにおいて、所定の位相間隔にてサンプリングを行い、サンプリングした各位相における相関値レベルがしきい値２９０２を超えているか否かを判定し、相関値レベルがしきい値２９０２以上の位相をレイクフィンガに割り当て、レイクフィンガ出力を同相加算してレイク合成を行う。この場合、しきい値２９０２を低く設定するとレイクフィンガに割り当てられるパスの数は増加するが、雑音をレイクフィンガに割り当ててしまう確率が高くなる。さらに、ピークの裾の部分をレイクフィンガに割り当てる確率も高くなる。即ち、しきい値２９０２が遅延プロファイルのピークに対して低いと、位相２９０４においては相関値レベルがしきい値２９０２以上であるため位相２９０４をレイクフィンガに割り当てることは可能であるが、この場合には、受信データの相関値レベル２９０５に対する雑音レベル２９０３の割合が大きくなって雑音レベルの影響が大きくなる。さらに、しきい値２９０２を低く設定すると、１つのピークの裾の部分の２つの位相２９０４、２９０６をレイクフィンガに割り当ててしまう確率が高くなる。この場合には、２つのレイクフィンガに割り当てられた位相２９０４、２９０６における雑音レベル２９０３は互いに相関があるため、ノイズの影響が大きくなってしまう。
【０００３】
一方、しきい値を高く設定するとノイズの影響は少なくなるが、レイクフィンガに割り当てられるパスの数も減少してしまうため所定の受信レベルの受信データが得られない。このように、しきい値を設定するレベルの大きさによって、レイクフィンガに割り当てられるパスの数及び雑音の影響が異なるため、適切な位置にしきい値を設定する必要がある。
【０００４】
【発明が解決しようとする課題】
しかしながら、従来の無線装置においては、遅延プロファイルに設定されるしきい値のレベルは一定であるため、遅延プロファイルにおける各パスのピークの相関値レベルに大きな差がある場合には、しきい値を高く設定すると各パスをレイクフィンガに十分に割り当てることができず、所定レベルの受信データが得られないという問題がある。また、しきい値を低く設定すると、遅延プロファイルにおけるピークの裾の部分をレイクフィンガに割り当ててしまうために、ノイズの影響が大きくなり、所定レベルの受信データが得られないという問題がある。
【０００５】
本発明はかかる点に鑑みてなされたものであり、ノイズの影響を極力少なくし、また、遅延プロファイルにおけるピークの裾の部分をレイクフィンガに割り当ててしまうことを防いで所定レベルの受信データを得ることを目的とする。
【０００６】
【課題を解決するための手段】
本発明のデータ受信装置は、到来波より遅延プロファイルを生成する遅延プロファイル生成手段と、遅延プロファイルの少なくとも１つのピークを検出するピーク検出手段と、前記ピークが検出された位相を１つ含む第１の位相幅及び前記第１の位相幅以外の第２の位相幅とを設定する位相幅設定手段と、前記第１の位相幅に前記第１のしきい値を設定し、前記第２の位相幅に前記第２のしきい値を設定するしきい値設定手段と、遅延プロファイルにおける相関値レベルが前記第１のしきい値及び前記第２のしきい値以上である位相をレイクフィンガに割り当てるパス選択手段と、前記パス選択手段により選択した複数のパスからの到来波を合成する合成手段と、を具備する構成を採る。
【０００７】
この構成によれば、第１のしきい値の相関値レベルが、第２のしきい値の相関値レベルよりも高くなるようにしたので、ピークの裾の部分をレイクフィンガに割り当ててしまうことを防止することができて、レイク合成の際にノイズによる影響を少なくし、受信品質を良好にすることができる。
【０００８】
本発明のデータ受信装置における前記位相幅設定手段は、前記第１の位相幅に含まれるピークの相関値レベルの大きさに応じて前記第１の位相幅を大きくする構成を採る。
【０００９】
この構成によれば、ピークの相関値レベルに応じて第１の位相幅を変化させるので、ピークの相関値レベルが高い場合でも、ピークの裾の部分にレイクフィンガを割り当ててしまうことを確実に防ぐことができる。
【００１０】
本発明のデータ受信装置における前記しきい値設定手段は、前記第１の位相幅毎に前記第１のしきい値の相関値レベルを前記第１の位相幅に含まれるピークの相関値レベルの大きさに応じて大きくする構成を採る。
【００１１】
この構成によれば、各ピークの相関値レベルに応じて、第１のしきい値をピーク毎に変化させるので、ピークの相関値レベルが高い場合でも、ピークの裾の部分にレイクフィンガを割り当ててしまうことを確実に防ぐことができる。
【００１２】
本発明のデータ受信装置における前記しきい値設定手段は、前記ピーク検出手段で検出した複数のピークの相関値レベルにおける最大値に所定の定数を乗算して前記第１のしきい値を設定する構成を採る。
【００１３】
この構成によれば、第１のしきい値を設定する際に、基準レベルを複数のピークの相関値レベルにおける最大値の１つにすることができるため、しきい値を求める度に基準レベルを変更する必要がなく、また、定数を乗算することによりしきいち値を求めることができるため、容易にしきい値を設定することができる。
【００１４】
本発明のデータ受信装置における前記しきい値設定手段は、前記ピーク検出手段で検出した複数のピーク毎にピークの相関値レベルに所定の定数を乗算して前記第１のしきい値を設定する構成を採る。
【００１５】
この構成によれば、第１のしきい値を設定する際に、ピーク毎の相関値レベルを用いて設定するため、各ピークの相関値レベルに応じた適切なしきい値を設定することができるとともに、定数を乗算することによりしきい値を求めることができるため、容易にしきい値を設定することができる。
【００１６】
本発明のデータ受信装置は、雑音レベル検出手段を有し、前記しきい値設定手段は、前記雑音レベル検出手段で検出した雑音レベルに所定の定数を乗算して前記第１のしきい値を設定する構成を採る。
【００１７】
この構成によれば、雑音レベルに所定の定数を乗算してしきい値を設定することにより雑音レベルより十分相関値レベルが高い位置にしきい値を設定することができるため、雑音レベルの影響を少なくして受信レベルを高くすることができるとともに、定数を乗算することによりしきい値を求めることができるため、容易にしきい値を設定することができる。
【００１８】
本発明のデータ受信装置における前記定数は、前記ピーク検出手段によって検出した各ピークの相関値レベルに応じて変更する構成を採る。
【００１９】
この構成によれば、ピークの相関値レベルに応じた定数を用いてしきい値を設定することができるため、細かなしきい値の設定が可能になり、各ピークにおける相関値レベルの差が大きい場合にもピークの裾の部分をレイクフィンガに割り当ててしまうことを防止でき、雑音レベルの影響を少なくすることができる。
【００２０】
本発明のデータ受信装置における前記位相幅設定手段は、前記第１の位相幅の範囲内に前記第１の位相幅よりも狭い範囲であってかつピークを含む第３の位相幅を設定し、前記しきい値設定手段は、前記第３の位相幅に前記第１のしきい値よりも相関値レベルが高い第３のしきい値を設定し、前記パス選択手段は、前記第３の位相幅においては前記第３のしきい値以上である位相をレイクフィンガに割り当てる構成を採る。
【００２１】
この構成によれば、遅延プロファイルに沿ってしきい値を設定することができるので、ピークの裾の部分をレイクフィンガに割り当ててしまうことを精度よく防ぐことができる。
【００２２】
本発明のデータ受信装置における前記しきい値設定手段は、前記第１の位相幅が重複する場合に相関値レベルが高い方の前記第１のしきい値を選択する構成を採る。
【００２３】
この構成によれば、第１の位相幅が重複する場合に、誤って相関値レベルが低い方のしきい値を設定してしまうことがないため、ピークの裾の部分をレイクフィンガに割り当てることを防止でき、雑音レベルの影響を少なくすることができる。
【００２４】
本発明のデータ受信装置における前記しきい値設定手段は、雑音レベルと遅延プロファイルにおける各ピークの相関値レベルの中の最大値との間に、レベルが一定である第４のしきい値を設定し、前記第１のしきい値及び前記第２のしきい値と前記第４のしきい値とを選択するしきい値選択手段を具備し、前記パス選択手段は、前記しきい値選択手段により前記第４のしきい値を選択した場合に、相関値レベルが前記第４のしきい値以上である位相をレイクフィンガに割り当てる構成を採る。
【００２５】
この構成によれば、遅延プロファイルの各ピークの相関値レベルの差が大きい場合に、しきい値選択手段により第１のしきい値と第２のしきい値を選択するか若しくは第４のしきい値を選択するので、各ピークの相関値レベル差に応じてしきい値を切り換えることができて、ピークの裾の部分をレイクフィンガに割り当てることを防止し、受信品質を良好にできる。
【００２６】
本発明のデータ受信装置における前記位相幅設定手段は、前記ピークが検出された位相を１つ含む第４の位相幅及び前記第４の位相幅以外の第５の位相幅を設定し、前記しきい値設定手段は、前記第４の位相幅に第５のしきい値を設定し、前記第５の位相幅に前記第５のしきい値よりもレベルが小さい第６のしきい値を設定し、前記第１のしきい値及び前記第２のしきい値と前記第５のしきい値及び前記第６のしきい値とを選択するしきい値選択手段を具備し、前記パス選択手段は、前記しきい値選択手段により前記第５のしきい値及び前記第６のしきい値を選択した場合に、相関値レベルが前記第５のしきい値及び前記第６のしきい値以上である位相をレイクフィンガに割り当てる構成を採る。
【００２７】
この構成によれば、遅延プロファイルのピークの相関値レベルに応じた第１のしきい値及び第２のしきい値と遅延プロファイルのピークの相関値レベルに応じた第５のしきい値及び第６のしきい値を、しきい値選択手段によって選択してしきい値を切り換えるので、ピークの裾の部分をレイクフィンガに割り当てることを防止し、受信品質を良好にできる。
【００２８】
本発明のデータ受信装置は、到来波より遅延プロファイルを生成する遅延プロファイル生成手段と、遅延プロファイルのピークを検出するピーク検出手段と、前記ピーク検出手段によって検出したピークの相関値レベルより低いレベルの第７のしきい値と前記第７のしきい値よりもレベルが小さい第８のしきい値とを設定するしきい値設定手段と、前記第７のしきい値及び前記第８のしきい値を選択するしきい値選択手段と、相関値レベルが前記第７のしきい値若しくは前記第８のしきい値以上であるパスを選択してレイクフィンガに割り当てるパス選択手段と、前記パス選択手段により選択した複数のパスからの到来波を合成する合成手段と、を具備する構成を採る。
【００２９】
この構成によれば、遅延プロファイルの各ピークの相関値レベル差に応じて第７のしきい値若しくは第８のしきい値を選択するので、レイクフィンガにピークの裾の部分を割り当ててしまうことを防止し、受信品質を良好にできる。
【００３０】
本発明の基地局装置は、上記のいずれかのデータ受信装置を具備する構成を採る。
【００３１】
また、本発明の通信端末装置は、上記のいずれかのデータ受信装置を具備する構成を採る。
【００３２】
これらの構成によれば、遅延プロファイルにおけるピークの裾の部分をレイクフィンガに割り当てることがないため、雑音の影響を少なくして受信品質を良好にすることができる。
【００３３】
本発明のデータ復号方法は、到来波より遅延プロファイルを生成する遅延プロファイル生成工程と、遅延プロファイルの少なくとも１つのピークを検出するピーク検出工程と、前記ピークが検出された位相を１つ含む第１の位相幅及び前記第１の位相幅以外の第２の位相幅とを設定する位相幅設定工程と、前記第１の位相幅に前記第１のしきい値を設定し、前記第２の位相幅に前記第２のしきい値を設定するしきい値設定工程と、遅延プロファイルにおける相関値レベルが前記第１のしきい値及び前記第２のしきい値以上である位相をレイクフィンガに割り当てるパス選択工程と、選択した複数のパスからの到来波を合成して復号する復号工程と、を具備することである。
【００３４】
この方法によれば、第１のしきい値の相関値レベルが、第２のしきい値の相関値レベルよりも高くなるようにしたので、ピークの裾の部分をレイクフィンガに割り当ててしまうことを防止することができて、レイク合成の際にノイズによる影響を少なくし、受信品質を良好にすることができる。
【００３５】
【発明の実施の形態】
本発明の骨子は、最初にレイクフィンガに割り当てた１つのパスを含む位相範囲とパスを含まない位相範囲とを設定し、パスを含む位相範囲のしきい値が、パスを含まない位相範囲のしきい値よりも相関値レベルが高くなるように段差を設けて設定することである。
【００３６】
以下、本発明の実施の形態について、図面を参照して詳細に説明する。
【００３７】
（実施の形態１）
以下、本発明の実施の形態１について図１乃至図３を用いて説明する。図１は、データ受信装置の構成を示すブロック図、図２は、しきい値算出部の構成を示すブロック図、図３は、遅延プロファイルとしきい値との関係を示す図である。
【００３８】
データ受信装置は、アンテナ１０１、ＲＦ部１０２、アナログ／デジタル（以下「Ａ／Ｄ」と記載する）変換部１０３、遅延プロファイル生成部１０４、基準レベル算出部１０５、しきい値算出部１０６、パス選択部１０７、レイクフィンガ１０８、レイク合成部１０９及び復号部１１０とから主に構成される。
【００３９】
ＲＦ部１０２は、アンテナ１０１にて受信した受信信号を無線周波数からベースバンド受信拡散信号へ周波数変換してＡ／Ｄ変換部１０３へ出力する。Ａ／Ｄ変換部１０３は、ＲＦ部１０２から入力した受信信号をアナログ／デジタル変換してレイクフィンガ１０８及び遅延プロファイル生成部１０４へ出力する。遅延プロファイル生成部１０４は、Ａ／Ｄ変換部１０３から入力した受信信号を拡散符号により逆拡散した後に一定時間積分して相関値を算出し、これを一定の位相分だけ位相をずらすことによって遅延プロファイルを形成し、形成した遅延プロファイルを基準レベル算出部１０５へ出力する。
【００４０】
基準レベル算出部１０５は、遅延プロファイルより各パスのピークを求め、求めたピークをしきい値算出部１０６へ出力する。しきい値算出部１０６は、基準レベル算出部１０５にて求めたピークに所定の定数を乗算してしきい値を求め、求めたしきい値をパス選択部１０７へ出力する。しきい値算出部１０６にて求めたしきい値は、ピークを含む所定範囲では相関値レベルの高い位置に設定し、ピークを含まないそれ以外の範囲ではピークを含む所定範囲のしきい値よりは低い位置に設定する。なお、しきい値算出部１０６の詳細については後述する。
【００４１】
パス選択部１０７は、遅延プロファイルにおける相関値レベルが、しきい値算出部１０６で求めたしきい値を超えているか否かを、所定の位相間隔で順次判定し、しきい値を超える相関値を持つパスの位相をレイクフィンガ１０８へ割り当てる。なお、レイクフィンガへ割り当てるパスの位相で、ＣＤＭＡ信号と拡散符号の同期をとる。レイクフィンガ１０８は、各パスの位相情報をもとに逆拡散処理を行い、レイク合成部１０９へ出力する。なお、レイクフィンガ１０８は、チャネル変動補償も行う。合成手段であるレイク合成部１０９は、各レイクフィンガ１０８からの出力を同相で加算して復号部１１０へ出力する。復号部１１０は、受信信号を復号化して受信データが得られる。
【００４２】
次に、しきい値算出部１０６の構成について、図２及び図３を用いて説明する。図２は、しきい値算出部１０６の構成を示すブロック図であり、図３は、遅延プロファイルとしきい値との関係を示した図である。しきい値算出部１０６は、選択パス位相検出部２０１、選択パス範囲決定部２０２、定数決定部２０３及びしきい値決定部２０４とから主に構成される。選択パス位相検出部２０１は、基準レベル算出部１０５で求めた各パスのピーク値の位相を検出して選択パス範囲決定部２０２へ出力する。位相幅決定手段である選択パス範囲決定部２０２は、選択パス位相検出部２０１で検出した位相を中心とした第１の位相幅である選択パス範囲３０１、３０２を決定してしきい値決定部２０４へ出力する。選択パス範囲３０１、３０２は、遅延プロファイルのピークにおける立ち上がり部と立ち下がり部の両方と交わる範囲であって、相関値レベルがピークとなる位相の前後で等しい幅になるように設定し、全てのパスにおいて等しい幅に設定する。なお、選択パス範囲３０１、３０２以外の範囲３１１は、ピークを含まない第２の位相幅である所定の範囲である。
【００４３】
定数決定部２０３は、遅延プロファイルの相関値レベルのピーク値の中の最大相関値レベルに乗算する定数が外部より設定され、設定した定数をしきい値決定部２０４へ出力する。定数決定部２０３に設定される定数は、選択パス範囲３０１、３０２においてしきい値を求める際に用いる定数と、選択パス範囲３０１、３０２以外の範囲にてしきい値を求める際に用いる定数の２種類である。
【００４４】
しきい値決定部２０４は、基準レベル算出部１０５からの遅延プロファイルの相関値レベルのピーク情報、選択パス範囲決定部２０２からの選択パス範囲及び定数決定部２０３からの定数が入力してしきい値を求め、求めたしきい値をしきい値情報としてパス選択部１０７へ出力する。
【００４５】
パス選択部１０７は、しきい値を越えた相関値を持つパスの位相を、レイクフィンガ１０８へ割り当て、レイクフィンガへ割り当てるパスの位相で、ＣＤＭＡ信号と拡散符号の同期を図る。なお、レイクフィンガの一部には、選択パス位相検出部２０１にて求めたピーク値の位相がすでに割り当てられているが、残りのレイクフィンガには、しきい値を超えた位相のみを割り当てていく。
【００４６】
次に、上記構成を有するデータ受信装置の動作について説明する。アンテナ１０１にて受信した受信信号は、ＲＦ部１０２にてベースバンド受信拡散信号に周波数変換され、Ａ／Ｄ変換部１０３にてアナログ／デジタル変換された後に、レイクフィンガ１０８及び遅延プロファイル生成部１０４へ出力される。Ａ／Ｄ変換部１０３から遅延プロファイル生成部１０４に入力した受信拡散信号は、拡散符号により逆拡散されて一定時間積分され、これにより相関値が算出される。そして、一定の位相分タイミングをずらすことによって遅延プロファイルを作成し、基準レベル算出部１０５へ出力される。遅延プロファイル生成部１０４から基準レベル算出部１０５に入力した遅延プロファイルよりピークを求め、求めたピークをしきい値算出部１０６のしきい値決定部２０４へ出力する。
【００４７】
しきい値算出部１０６においては、選択パス位相検出部２０１において割り当て済みのレイクフィンガ位相情報を検出して選択パス範囲決定部２０２に出力し、選択パス範囲決定部２０２において、割り当て済みレイクフィンガ位相を中心として、後述する選択パス範囲３０１、３０２を決定して、選択パス範囲３０１、３０２をしきい値決定部２０４へ出力する。また、定数決定部２０３に外部より２種類の定数が設定され、設定した定数をしきい値決定部２０４へ出力する。
【００４８】
しきい値設定手段であるしきい値決定部２０４は、選択パス範囲決定部２０２から入力する選択パス範囲３０１、３０２及び定数決定部２０３から入力する定数よりしきい値を設定し、設定したしきい値をパス選択部１０７へ出力する。しきい値算出部１０６からパス選択部１０７に入力したしきい値は、しきい値を越えた相関値を持つパスの位相を、レイクフィンガ１０８へ割り当て、レイクフィンガへ割り当てるパスの位相で、ＣＤＭＡ信号と拡散符号の同期を図る。パス選択部１０７からレイクフィンガ１０８へ出力されたパスの位相及びＡ／Ｄ変換部１０３からレイクフィンガ１０８へ出力された受信信号は、レイクフィンガ１０８において、各パスの位相情報をもとに逆拡散処理されるとともにチャネル変動補償されてレイク合成部１０９へ出力され、各レイクフィンガ出力を同相加算して復号部１１０に出力し、復号部１１０において符号化されて受信データが出力される。
【００４９】
次に、このようにして設定したしきい値について、図３を用いて説明する。選択パス範囲３０１、３０２においては、複数のピーク３０６の相関値レベルの中の最大値３０３に定数を乗算することによって、ピークの相関値レベル３０３から所定量３０４だけ相関値レベルが下がった位置に第１のしきい値３０９が設定される。また、選択パス範囲３０１、３０２以外の範囲３１１においては、ピークの相関値レベル３０３に選択パス範囲３０１、３０２で用いた定数とは異なる定数を乗算することによって、ピークの相関値レベル３０３から所定量３０５だけ相関値レベルが下がった位置に第２のしきい値３１０が設定される。選択パス範囲３０１、３０２に設定された第１のしきい値３０９のレベルは、選択パス範囲３０１、３０２以外の範囲３１１に設定された第２のしきい値３１０のレベルよりも大きい。また、選択パス範囲３０１、３０２に設定される第１のしきい値３０９は、１つのピーク３０６の立ち上がりの点３０７で交わり、さらに立ち下がりの点３０８で交わる。選択パス範囲３０１、３０２以外の範囲３１１に設定される第２のしきい値３１０は、ピーク３０６の立ち上がり及び立ち下がりのいずれとも交わらない。
【００５０】
このように、本実施の形態におけるデータ受信装置は、選択パス範囲３０１、３０２の第１のしきい値３０９を選択パス範囲３０１、３０２以外の範囲３１１の第２しきい値３１０よりもレベルが高くなるように段差を設けて設定したので、主波と遅延波のレベル差の大きいマルチパス伝搬環境下において、主波の裾にレイクフィンガを割り当ててしまうことを避けると同時に、所望のパスを確実に捕捉することができ、捕捉したパスをレイク合成することにより通信品質を向上させることができる。また、選択パス範囲３０１、３０２におけるしきい値を設定する際に用いる定数を全てのパスにおいて同一にしたので、選択パス範囲及び定数の設定の処理が簡単になる。
【００５１】
（実施の形態２）
図４は、本発明の実施の形態２に係るデータ受信装置におけるしきい値算出部１０６の構成を示すブロック図であり、図５は、本発明の実施の形態２に係る遅延プロファイルとしきい値との関係を示す図である。本発明の実施の形態においては、しきい値算出部１０６に選択パス相関値検出部４０１を設ける構成が図２と相違しており、また、選択パス範囲５０１、５０２が各ピークの相関値レベルによって異なる点が図３と相違しており、その他の構成は図１及び図２と同一構成であるので同一の符号を付して、その説明を省略する。
【００５２】
選択パス相関値検出部４０１は、各パスのピークの相関値レベルを検出して選択パス範囲決定部２０２へ出力する。選択パス範囲決定部２０２は、選択パス位相検出部２０１から入力される各パスのピークの位相と選択パス相関値検出部４０１から入力される各パスのピークの相関値レベルとから、ピークの位相を中心として、ピークの相関値レベルの大小に応じた選択パス範囲５０１、５０２を設定し、設定した選択パス範囲５０１、５０２をしきい値決定部２０４へ出力する。しきい値決定部２０４は、選択パス範囲決定部２０２から入力する選択パス範囲５０１、５０２と定数決定部２０３から入力する定数とより、しきい値を設定する。
【００５３】
次に、しきい値を設定する方法について、図５を用いて説明する。選択パス範囲５０１においては、ピークの相関値レベル５０５に定数を乗算することによって、ピークの相関値レベル５０５から所定量５０３だけ相関値レベルが下がった位置に第１のしきい値５０７が設定される。また、選択パス範囲５０１、５０２以外の範囲５０６においては、ピークの相関値レベル５０５に選択パス範囲５０１、５０２で用いた定数とは異なる定数を乗算することによって、ピークの相関値レベル５０５から所定量５０４だけ相関値レベルが下がった位置に第２のしきい値５０８が設定される。選択パス範囲５０１、５０２に設定されたしきい値のレベルは、選択パス範囲５０１、５０２以外の範囲５０６に設定されたしきい値のレベルよりも大きい。また、選択パス範囲５０１内のピークの相関値レベルは、選択パス範囲５０２内のピークの相関値レベルよりも大きいため、選択パス範囲５０１の幅は、選択パス範囲５０２の幅よりも大きい。即ち、選択パス範囲５０１、５０２は、ピークの相関値レベルに比例した、ピーク毎に異なる大きさの範囲にて設定される。
【００５４】
このように、本実施の形態におけるデータ受信装置は、選択パス範囲５０１、５０２の第１のしきい値５０７を選択パス範囲５０１、５０２以外の範囲５０６の第２のしきい値５０８よりもレベルが高くなるように段差を設けて設定したので、主波と遅延波のレベル差の大きいマルチパス伝搬環境下において、主波の裾にレイクフィンガを割り当ててしまうことを避けると同時に、所望のパスを確実に捕捉することができ、捕捉したパスをレイク合成することにより通信品質を向上させることができる。また、相関値レベルのピーク値が大きいパスの選択パス範囲５０１は、相関値レベルのピーク値が小さいパスの選択パス範囲５０２よりも大きくするので、相関値レベルが大きいパスの裾にレイクフィンガを割り当ててしまうことを防ぐことができる。
【００５５】
（実施の形態３）
図６は、本発明の実施の形態３に係るデータ受信装置におけるしきい値算出部１０６の構成を示すブロック図であり、図７は、本発明の実施の形態３に係る遅延プロファイルとしきい値との関係を示す図である。本発明の実施の形態は、図６において基準レベル算出部１０５において各パス毎の基準レベルのピーク値を求める点及びしきい値算出部１０６の選択パス相関値検出部４０１は、しきい値決定部２０４へ出力する点が図４と相違しており、その他の構成は図４と同一構成であるので同一の符号を付して、その説明を省略する。
【００５６】
基準レベル算出部１０５は、遅延プロファイル生成部１０４にて生成した遅延プロファイルより、パス毎のピークの相関値レベルを求めてしきい値算出部１０６へ出力する。選択パス相関値検出部４０１は、基準レベル算出部１０５で求めた各パスのピークの相関値レベルを検出してしきい値決定部２０４へ出力する。選択パス範囲決定部２０２は、選択パス位相検出部２０１から入力する各パスのピークの位相より、ピークの位相を中心とした後述する選択パス範囲７０１、７０２を決定して、決定した選択パス範囲７０１、７０２をしきい値決定部へ出力する。しきい値決定部２０４は、選択パス範囲決定部２０２から入力する選択パス範囲７０１、７０２、定数決定部２０３から入力する２種類の定数及び選択パス相関値検出部４０１から入力するフィンガ相関値情報を用いてしきい値を設定する。
【００５７】
次に、このようにして設定したしきい値について、図７を用いて説明する。選択パス範囲７０１においては、各ピークの相関値レベル７０３、７０４に各々定数を乗算することによって、ピークの相関値レベル７０３から所定量７０５だけ相関値レベルが下がった位置に第１のしきい値７０８が設定される。また、選択パス範囲７０２においては、ピークの相関値レベル７０４に選択パス範囲７０１で用いた定数と同一の定数を乗算することによって、ピークの相関値レベル７０４から所定量７０５だけ相関値レベルが下がった位置に第１のしきい値７０８が設定される。また、選択パス範囲７０１、７０２以外の範囲７０７においては、ピークの相関値レベル７０３に選択パス範囲７０１、７０２で用いた定数とは異なる定数を乗算することによって、ピークの相関値レベル７０３から所定量７０６だけ相関値レベルが下がった位置に第２のしきい値７０９が設定される。選択パス範囲７０１、７０２に設定されたしきい値のレベルは、選択パス範囲７０１、７０２以外の範囲７０７に設定されたしきい値のレベルよりも大きい。即ち、選択パス範囲７０１、７０２に設定される第１のしきい値７０８は、ピークの相関値レベルに比例した、ピーク毎に異なる相関値レベルに設定される。
【００５８】
このように、本実施の形態におけるデータ受信装置は、選択パス範囲７０１、７０２のしきい値を選択パス範囲７０１、７０２以外の範囲７０７のしきい値よりもレベルが高くなるように段差を設けて設定したので、主波と遅延波のレベル差の大きいマルチパス伝搬環境下において、主波の裾にレイクフィンガを割り当ててしまうことを避けると同時に、所望のパスを確実に捕捉することができ、捕捉したパスをレイク合成することにより通信品質を向上させることができる。また、第１のしきい値７０８を設定する際に用いる定数を全て同一にするので、定数決定部における定数の決定の処理が簡単になる。また、各パスの相関値レベルのピーク値に応じて第１のしきい値７０８を設定するため、パスの裾にレイクフィンガを割り当ててしまうことを防ぐことができる。
【００５９】
なお、本実施の形態においては、選択パス範囲７０１、７０２以外の範囲におけるしきい値は、ピーク値７０３に定数を乗算することによって設定したが、ピーク値７０４に所定の定数を乗算することによって設定しても同様の効果が得られる。
【００６０】
（実施の形態４）
図８は、本発明の実施の形態４に係るデータ受信装置におけるしきい値算出部１０６の構成を示すブロック図であり、図９は、本発明の実施の形態４に係る遅延プロファイルとしきい値との関係を示す図である。本発明の実施の形態は、図８においてしきい値算出部１０６の選択パス相関値検出部４０１は、しきい値決定部２０４及び定数決定部２０３へ出力する点及び定数決定部２０３において求める定数が各パスの相関値レベルのピーク値に応じて異なる点が図６と相違しており、その他の構成は図６と同一構成であるので同一の符号を付して、その説明を省略する。
【００６１】
基準レベル算出部１０５は、遅延プロファイル生成部１０４にて生成した遅延プロファイルより、各パスのピーク値９０３、９０４を求めてしきい値算出部１０６へ出力する。選択パス相関値検出部４０１は、基準レベル算出部１０５で求めた各パスのピークの相関値レベルを検出してしきい値決定部２０４及び定数決定部２０３へ出力する。定数決定部２０３は、選択パス相関値検出部４０１から入力する各パスのピークの相関値レベルに基づいてパス毎に３種類の定数を決定し、決定した３種類の定数をしきい値決定部２０４へ出力する。定数の決定は、選択パス相関値検出部４０１で求めた各パスのピークの相関値を外部から設定した定数に乗算するか若しくは加算するか、あるいは相関値に応じた定数のテーブルを用いて決定する。しきい値決定部２０４は、選択パス範囲決定部２０２から入力する後述する選択パス範囲９０１、９０２、定数決定部２０３から入力する定数及び選択パス相関値検出部４０１から入力するフィンガ相関値情報よりしきい値を設定する。
【００６２】
次に、このようにして設定したしきい値について、図９を用いて説明する。選択パス範囲９０１においては、ピークの相関値レベル９０３に定数を乗算することによって、ピークの相関値レベル９０３から所定量９０５だけ相関値レベルが下がった位置に第１のしきい値９０９が設定される。また、選択パス範囲９０２においては、ピークの相関値レベル９０４に選択パス範囲９０１で用いた定数と異なる定数を乗算することによって、ピークの相関値レベル９０４から所定量９０７だけ相関値レベルが下がった位置に第１のしきい値９０９が設定される。また、選択パス範囲９０１、９０２以外の範囲９０８においては、ピークの相関値レベル９０３に選択パス範囲９０１、９０２で用いた定数とは異なる定数を乗算することによって、ピークの相関値レベル９０３から所定量９０６だけ相関値レベルが下がった位置に第２のしきい値９１０が設定される。選択パス範囲９０１、９０２に設定された第１のしきい値９０９のレベルは、選択パス範囲９０１、９０２以外の範囲９０８に設定された第２のしきい値９１０のレベルよりも大きい。
【００６３】
このように、本実施の形態におけるデータ受信装置は、選択パス範囲９０１、９０２の第１のしきい値９０９を選択パス範囲９０１、９０２以外の範囲９０８の第２のしきい値９１０よりもレベルが高くなるように段差を設けて設定したので、主波と遅延波のレベル差の大きいマルチパス伝搬環境下において、主波の裾にレイクフィンガを割り当ててしまうことを避けると同時に、所望のパスを確実に捕捉することもでき、捕捉したパスをレイク合成することにより通信品質を向上させることができる。また、パス毎に定数及び相関値レベルのピーク値を求め、各パスの相関値レベルに応じて第１のしきい値９０９を設定するので、相関値レベルが大きいパスの裾にレイクフィンガを割り当ててしまうことを防ぐことができる。
【００６４】
（実施の形態５）
図１０は、本発明の実施の形態５に係るデータ受信装置におけるしきい値算出部１０６の構成を示すブロック図である。本発明の実施の形態は、図１０においてしきい値算出部１０６の選択パス相関値検出部４０１は、しきい値決定部２０４、定数決定部２０３及び選択パス範囲決定部２０２へ出力する点が図８と相違しており、その他の構成は図８と同一構成であるので同一の符号を付して、その説明を省略する。
【００６５】
基準レベル算出部１０５は、遅延プロファイル生成部１０４にて生成した遅延プロファイルより、各パスのピーク値１２０３、１２０４を求めてしきい値算出部１０６へ出力する。選択パス相関値検出部４０１は、基準レベル算出部１０５で求めた各パスのピークの相関値レベルを検出してしきい値決定部２０４、定数決定部２０３及び選択パス範囲決定部２０２へ出力する。選択パス範囲決定部２０２は、選択パス相関値検出部４０１から入力する各パスのピークの相関値レベルに基づいて後述する選択パス範囲１２０１、１２０２を決定し、決定した選択パス範囲１２０１、１２０２をしきい値決定部２０４へ出力する。定数決定部２０３は、選択パス相関値検出部４０１から入力する各パスのピークの相関値レベルに基づいて定数を設定し、設定した定数をしきい値決定部２０４へ出力する。これにより、定数は各ピークの相関値レベルに応じて変更することが可能になる。しきい値決定部２０４は、選択パス範囲２０２から入力する選択パス範囲１２０１、１２０２、選択パス相関値検出部４０１から入力する各パスのピークの相関値レベル及び定数決定部２０３から入力する定数より、しきい値を設定する。
【００６６】
次に、上記構成を有するデータ受信装置の動作について、図１０及び図１１を用いて説明する。まず、選択パス範囲決定部２０２において暫定的な選択パス範囲が決定され、その決定された暫定的な選択パス範囲を、選択パス範囲２０２内の図に記載のないメモリに一旦記憶する（ステップ（以下「ＳＴ」と記載する）１１０１）。また、選択パス相関値検出部４０１にて検出したピークの相関値レベルを記憶し（ＳＴ１１０２）、定数決定部２０３にて外部より設定した定数を記憶する（ＳＴ１１０３）。
【００６７】
次に、選択パス範囲決定部２０２において、ＳＴ１１０１で記憶した複数の選択パス範囲より、重複している選択パス範囲があるか否かを判定する（ＳＴ１１０４）。ＳＴ１１０４において、選択パス範囲が重複していないと判定した場合には、暫定的に決定した選択パス範囲を正式な選択パス範囲としてしきい値決定部２０４へ出力し、しきい値決定部２０４にてしきい値算出処理を行う。一方、ＳＴ１１０４において、選択パス範囲が重複していると判定した場合には、ＳＴ１１０２で記憶した相関値レベルが選択パス範囲決定部２０２に入力して、重複している選択パス範囲の各ピークの相関値レベルを比較して、相関値レベルが大きい方の選択パス範囲を優先して選択パス範囲を設定し、相関値レベルが低い方の選択パス範囲は重複した範囲の部分を除いた範囲を設定して（ＳＴ１１０５）、設定した選択パス範囲を正式な選択パス範囲としてしきい値決定部２０４へ出力する。
【００６８】
次に、選択パス範囲決定部２０２から入力した選択パス範囲、選択パス相関値検出部４０１から入力したパスのピークの相関値レベル及び定数決定部２０３から入力した定数を用いて、しきい値を設定する（ＳＴ１１０６）。なお、その他のしきい値算出部１０６の動作は、実施の形態４と同一であるので説明を省略する。
【００６９】
このような方法により設定されたしきい値について、図１２及び図１３を用いて説明する。選択パス範囲が重複しない場合には、図１２に示すように、選択パス範囲１２０１においては、ピーク値１２０３に定数を乗算することによってピーク値１２０３から所定量１２０５だけ下がった位置に第１のしきい値１２０９が設定される。また、選択パス範囲１２０２においては、ピーク値１２０４に選択パス範囲１２０１で用いた定数とは異なる定数を乗算することによってピーク値１２０４から所定量１２０６だけ下がった位置に第１のしきい値１２０９が設定される。また、選択パス範囲１２０１、１２０２以外の範囲１２０８においては、ピーク値１２０３に選択パス範囲１２０１、１２０２で用いた定数とは異なる定数を乗算することによってピーク値１２０３から所定量１２０７だけ下がった位置に第２のしきい値１２１０が設定される。
【００７０】
次に、遅延プロファイにおけるピークの位相が近いために、選択パス範囲が重複する場合について図１３を用いて説明する。選択パス範囲１３０１と選択パス範囲１３０２は、重複範囲１３０３にて重複する。しかし、上記にて説明したように、重複範囲１３０３においては、各パスのピークの相関値レベル１２０３、１２０４のうち、相関値レベルが高い方のピークのパスにおける選択パス範囲１３０１の第１のしきい値１２０９を設定する。そして、選択パス範囲１３０２は、重複範囲１３０３を除いた範囲の選択パス範囲１３０４のしきい値が設定される。
【００７１】
このように、本実施の形態におけるデータ受信装置は、上記実施の形態４の効果に加えて、選択パス範囲１２０１、１２０２もパス毎の相関値レベルに応じて設定するので、相関値レベルが大きいパスの裾にレイクフィンガを割り当ててしまうことを確実に防ぐことができる。また、選択パス範囲１３０１、１３０２が重複する場合は、各選択パス範囲１３０１、１３０２のピークの相関値レベルが高い方のしきい値を設定するので、重複部分１３０３に誤ってピークの相関値レベルが低い方のしきい値を設定してしまうことにより、パスの裾にレイクフィンガを割り当ててしまうことを防ぐことができる。
【００７２】
（実施の形態６）
図１４は、本実施の形態６に係るしきい値算出部１０６の構成を示すブロック図であり、図１５は、本発明の実施の形態６に係る遅延プロファイルとしきい値との関係を示す図である。本発明の実施の形態は、図１４において選択パス範囲決定部として第１の選択パス範囲決定部１４０１と第２の選択パス範囲決定部１４０２との２つにする構成が図１２の構成と相違しており、その他の構成は図１２と同一であるので同一の符号を付してその説明は省略する。
【００７３】
第１の選択パス範囲決定部１４０１は、選択パス位相検出部２０１から入力するレイクフィンガに割り当てられているピークの位相に基づいて、選択パス範囲を決定し、決定した選択パス範囲をしきい値決定部２０４へ出力する。第２の選択パス範囲決定部１４０２は、選択パス位相検出部２０１から入力するレイクフィンガに割り当てられているピークの位相に基づいて、選択パス範囲を決定し、決定した選択パス範囲をしきい値決定部２０４へ出力する。第２の選択パス範囲決定部１４０２にて設定される選択パス範囲は、第１の選択パス範囲１４０１で設定される選択パス範囲よりも大きい選択パス範囲を設定する。定数決定部２０３は、選択パス相関値検出部４０１から入力する各パスのピーク値の位相における相関値情報より求めた定数を決定して、決定した定数をしきい値決定部２０４へ出力する。しきい値決定部２０４は、第１の選択パス範囲決定部１４０１から入力する選択パス範囲１５０１、第２の選択パス範囲決定部１４０２から入力する選択パス範囲１５０２及び定数決定部２０３から入力する定数を用いて、各パスのピークの相関値レベルに応じたしきい値を設定する。しきい値決定部２０４におけるしきい値の決定は、第１の選択パス範囲決定部１４０１で設定した選択パス範囲は相関値レベルが大きく、第２の選択パス範囲決定部１４０２で設定した選択パス範囲は相関値レベルが小さくなるように、ピークの相関値レベル１５０５、１５０６に所定の定数を乗算して設定する。そして、第１の選択パス範囲決定部１４０１及び第２の選択パス範囲決定部１４０２から入力した選択パス範囲の位相範囲は一部において重複するため、第１の選択パス範囲決定部１４０１及び第２の選択パス範囲決定部１４０２から入力した選択パス範囲を比較し、選択パス範囲の小さい第１の選択パス範囲決定部１４０１から入力した選択パス範囲を優先してしきい値を設定し、第１の選択パス範囲決定部１４０１で設定した選択パス範囲以外の範囲でかつ第２の選択パス範囲決定部１４０２で設定した選択パス範囲においては、第２の選択パス範囲決定部１４０２で設定した選択パス範囲が設定される。
【００７４】
次に、このようにして設定したしきい値について、図１５を用いて説明する。第３の位相幅である選択パス範囲１５０３においては、ピーク値１５０５に定数を乗算してピーク値１５０５から所定量１５０７だけ相関値レベルが下がった位置に第３のしきい値１５１３を設定する。また、第３の位相幅である選択パス範囲１５０４においては、ピーク値１５０６に選択パス範囲１５０３で用いて定数とは異なる定数を乗算して、ピーク値１５０６から所定量１５０８だけ相関値レベルが下がった位置に第３のしきい値１５１３を設定する。また、選択パス範囲１５０１の選択パス範囲１５０３と重複していない範囲においては、ピーク値１５０５に選択パス範囲１５０３、１５０４で用いた定数とは異なる定数を乗算して、ピーク値１５０５から所定量１５０９だけ相関値レベルが下がった位置に第１のしきい値１５１４を設定する。また、選択パス範囲１５０２の選択パス範囲１５０４と重複していない範囲においては、ピーク値１５０６に選択パス範囲１５０１、１５０３、１５０４で用いた定数とは異なる定数を乗算して、ピーク値１５０６から所定量１５１０だけ相関値レベルが下がった位置に第１のしきい値１５１４を設定する。また、選択パス範囲１５０１、１５０２、１５０３、１５０４以外の範囲１５１２においては、各ピークの相関値レベルの中の最大相関値レベル１５０７に選択パス範囲１５０１、１５０２、１５０３、１５０４で用いた定数とは異なる定数を乗算して所定量１５１１だけ相関値レベルが下がった位置に第２のしきい値１５１５を設定する。このように選択パス範囲１５０３、１５０４に設定したしきい値は、選択パス範囲１５０１、１５０２の範囲内において、ピークを含む範囲に設定される。
【００７５】
このように、選択パス範囲１５０１、１５０２の範囲のしきい値に段差を設けて設定したので、各パスのピークの立ち上がり及び立ち下がりに沿ってしきい値を設定することができ、相関値レベルが大きいパスの裾にレイクフィンガを割り当ててしまうことを確実に防ぐことができる。
【００７６】
なお、本実施の形態においては、選択パス範囲１５０１、１５０２内に１つの選択パス範囲１５０３、１５０４を設けることとして段差を１段にしたが、選択パス範囲１５０１、１５０２内に２つ以上の選択パス範囲を設けて、ピークに近づくにしたがってしきい値のレベルが順次大きくなるように、段差を２段以上設けてしきい値を設定しても良い。
【００７７】
（実施の形態７）
図１６は、本発明の実施の形態７に係る遅延プロファイルとしきい値との関係を示す図である。本発明の実施の形態におけるデータ受信装置は、基準レベル算出部１０５において雑音レベルを検出する点及びしきい値決定部２０４が雑音レベルに基づいてしきい値を決定する点が図１及び図２と相違しており、それ以外の構成は図１及び図２と同一構成であるためその説明は省略する。
【００７８】
基準レベル算出部１０５は、遅延プロファイル生成部１０４にて求めた遅延プロファイルより雑音レベル１６０３を検出し、検出した雑音レベル１６０３をしきい値算出部１０６へ出力する。定数決定部２０３は、しきい値を設定する際に用いる定数を求めて、しきい値決定部２０４へ出力する。しきい値決定部２０４は、基準レベル算出部１０５から入力する雑音レベル１６０３、選択パス範囲決定部２０２から入力する後述する選択パス範囲１６０１、１６０２及び定数決定部２０３から入力する定数より、しきい値を設定する。
【００７９】
次に、このようにして設定したしきい値について、図１６を用いて説明する。選択パス範囲１６０１、１６０２においては、雑音レベル１６０３に定数を乗算することによって、雑音レベル１６０３から所定量１６０４だけ相関値レベルが上がった位置に第１のしきい値１６０７が設定される。また、選択パス範囲１６０１、１６０２以外の範囲１６０６においては、雑音レベル１６０３に選択パス範囲１６０１、１６０２で用いた定数とは異なる定数を乗算することによって、雑音レベル１６０３から所定量１６０５だけ相関値レベルが上がった位置に第２のしきい値１６０８が設定される。選択パス範囲１６０１、１６０２に設定された第１のしきい値１６０７のレベルは、選択パス範囲１６０１、１６０２以外の範囲１６０８に設定された第２のしきい値１６０８のレベルよりも大きい。
【００８０】
このように、本実施の形態におけるデータ受信装置は、選択パス範囲１６０１、１６０２の第１のしきい値１６０７を選択パス範囲１６０１、１６０２以外の範囲１６０６の第２のしきい値１６０８よりもレベルが高くなるように段差を設けて設定したので、主波と遅延波のレベル差の大きいマルチパス伝搬環境下において、主波の裾にレイクフィンガを割り当ててしまうことを避けると同時に、所望のパスを確実に捕捉することができ、捕捉したパスをレイク合成することにより通信品質を向上させることができる。また、選択パス範囲１６０１、１６０２及び選択パス範囲１６０１、１６０２にてしきい値を求める際に用いる定数Ｌ１６０４を全て同一にしたので、選択パス範囲及び定数を求める処理が簡単になる。
【００８１】
（実施の形態８）
図１７は、本発明の実施の形態８に係る遅延プロファイルとしきい値との関係を示す図である。本発明の実施の形態におけるデータ受信装置は、基準レベル算出部１０５において雑音レベルを検出する点及びしきい値決定部２０４が雑音レベルに基づいてしきい値を決定する点が図１及び図４と相違しており、それ以外の構成は図１及び図４と同一構成であるため、その説明を省略する。
【００８２】
基準レベル算出部１０５は、遅延プロファイル生成部１０４にて求めた遅延プロファイルより雑音レベル１７０３を検出し、検出した雑音レベル１７０３をしきい値算出部１０６へ出力する。しきい値決定部２０４は、基準レベル算出部１０５からの遅延プロファイルの雑音レベル１７０３、選択パス範囲決定部２０２からの選択パス範囲１７０１、１７０２及び定数決定部２０３からの定数が入力し、雑音レベル１７０３に定数を乗算してしきい値を求め、求めたしきい値をしきい値情報としてパス選択部１０７へ出力する。
【００８３】
次に、しきい値を設定する方法について、図１７を用いて説明する。選択パス範囲１７０１、１７０２においては、雑音レベル１７０３に定数を乗算することによって、雑音レベル１７０３から所定量１７０４だけ相関値レベルが上がった位置に第１のしきい値１７０７が設定される。また、選択パス範囲１７０１、１７０２以外の範囲１７０６においては、雑音レベル１７０３に選択パス範囲１７０１、１７０２で用いた定数とは異なる定数を乗算することによって、雑音レベル１７０３から所定量１７０５だけ相関値レベルが上がった位置に第２のしきい値１７０８が設定される。選択パス範囲１７０１、１７０２に設定された第１のしきい値１７０７のレベルは、選択パス範囲１７０１、１７０２以外の範囲１７０６に設定された第２のしきい値１７０８のレベルよりも大きい。また、選択パス範囲１７０１内のピークの相関値レベルは、選択パス範囲１７０２内のピークの相関値レベルよりも大きいため、選択パス範囲１７０１の幅は、選択パス範囲１７０２の幅よりも大きい。
【００８４】
このように、本実施の形態におけるデータ受信装置は、選択パス範囲１７０１、１７０２の第１のしきい値１７０７を選択パス範囲以外の範囲１７０６の第２のしきい値１７０８よりもレベルが高くなるように段差を設けて設定したので、主波と遅延波のレベル差の大きいマルチパス伝搬環境下において、主波の裾にレイクフィンガを割り当ててしまうことを避けると同時に、所望のパスを確実に捕捉することができ、捕捉したパスをレイク合成することにより通信品質を向上させることができる。また、相関値レベルが大きいパスの裾にレイクフィンガを割り当ててしまうことを防ぐことができる。
【００８５】
（実施の形態９）
図１８は、本発明の実施の形態９に係るしきい値算出部１０６の構成を示すブロック図であり、図１９は、本発明の実施の形態９に係る遅延プロファイルとしきい値との関係を示す図である。本発明の実施の形態におけるデータ受信装置は、基準レベル算出部１０５において雑音レベルを検出する点、しきい値決定部２０４が雑音レベルに基づいてしきい値を決定する点及び雑音レベルを定数決定部２０３に入力する点が図１及び図６と相違しており、その他の構成は図１及び図６と同一構成であるのでその説明を省略する。
【００８６】
基準レベル算出部１０５は、遅延プロファイル生成部１０４にて生成した遅延プロファイルより雑音レベル１９０３を検出し、検出した雑音レベル１９０３をしきい値算出部１０６へ出力する。定数決定部２０３は、選択パス相関値検出部４０１から入力する各パスのピークの相関値レベル及び基準レベル算出部１０５から入力する雑音レベルを用いて、しきい値設定の際に用いる定数を求め、求めた定数をしきい値決定部２０４へ出力する。定数の決定は、選択パス相関値検出部４０１で求めた各パスのピークの相関値を外部から設定した定数に乗算するか若しくは加算するか、あるいは相関値に応じた定数のテーブルを用いて決定する。しきい値決定部２０４は、選択パス範囲決定部２０２から入力した後述する選択パス範囲１９０１、１９０２、選択パス相関値検出部４０１から入力した各パスのピークの相関値レベル及び定数決定部２０３から入力した定数を用いて、しきい値を設定する。
【００８７】
次に、しきい値を設定する方法について、図１９を用いて説明する。選択パス範囲１９０１においては、雑音レベル１９０３に定数を乗算することによって、雑音レベル１９０３から所定量１９０４だけ相関値レベルが上がった位置に第１のしきい値１９０８が設定される。選択パス範囲１９０２においては、雑音レベル１９０３に選択パス範囲１９０１で用いた定数と異なる定数を乗算することによって、雑音レベル１９０３から所定量１９０５だけ相関値レベルが上がった位置に第１のしきい値１９０８が設定される。また、選択パス範囲１９０１、１９０２以外の範囲１９０７においては、雑音レベル１９０３に選択パス範囲１９０１、１９０２で用いた定数とは異なる定数を乗算することによって、雑音レベル１９０３から所定量１９０６だけ相関値レベルが上がった位置に第２のしきい値１９０９が設定される。選択パス範囲１９０１、１９０２に設定された第１のしきい値１９０８のレベルは、選択パス範囲１９０１、１９０２以外の範囲１９０７に設定された第２のしきい値１９０９のレベルよりも大きい。
【００８８】
このように、本実施の形態におけるデータ受信装置は、選択パス範囲１９０１、１９０２の第１のしきい値１９０８を選択パス範囲以外の範囲１９０７の第２のしきい値１９０９よりもレベルが高くなるように段差を設けて設定したので、主波と遅延波のレベル差の大きいマルチパス伝搬環境下において、主波の裾にレイクフィンガを割り当ててしまうことを避けると同時に、所望のパスを確実に捕捉することができ、捕捉したパスをレイク合成することにより通信品質を向上させることができる。また、雑音レベルに応じてパス毎に異なる定数を求め、求めた定数を用いてしきい値を設定するので、相関値レベルが大きいパスの裾にレイクフィンガを割り当ててしまうことを防ぐことができる。
【００８９】
（実施の形態１０）
図２０は、本発明の実施の形態１０に係る遅延プロファイルとしきい値との関係を示した図である。本発明の実施の形態におけるデータ受信装置は、基準レベル算出部１０５は、定数を乗算する基準レベルを雑音レベルとして検出してしきい値算出部１０６へ出力する点及びしきい値決定部２０４において雑音レベルを基準にしきい値を設定する点が図８と相違しており、その他の構成は図８と同一構成であるのでその説明を省略する。
【００９０】
基準レベル算出部１０５は、遅延プロファイル生成部１０４にて生成した遅延プロファイルより雑音レベル２００３を検出し、検出した雑音レベル２００３をしきい値算出部１０６へ出力する。基準レベル算出部１０５は、遅延プロファイル生成部１０４にて生成した遅延プロファイルより雑音レベル２００３を検出し、検出した雑音レベル２００３をしきい値算出部１０６へ出力する。定数決定部２０３は、選択パス相関値検出部４０１から入力する各パスのピークの相関値レベル及び基準レベル算出部１０５から入力する雑音レベル２００３を用いて、しきい値設定の際に用いる定数を求め、求めた定数をしきい値決定部２０４へ出力する。しきい値決定部２０４は、選択パス範囲決定部２０２から入力した後述する選択パス範囲２００１、２００２、選択パス相関値検出部４０１から入力した各パスのピークの相関値レベル及び定数決定部２０３から入力した定数を用いて、しきい値を設定する。
【００９１】
次に、このようにして設定したしきい値について、図２０を用いて説明する。選択パス範囲２００１においては、雑音レベル２００３に定数を乗算することによって、雑音レベル２００３から所定量２００４だけ相関値レベルが上がった位置に第１のしきい値２００８が設定される。また、選択パス範囲２００２においては、雑音レベル２００３に選択パス範囲２００１で用いた定数と異なる定数を乗算することによって、雑音レベル２００３から所定量２００５だけ相関値レベルが上がった位置に第１のしきい値２００８が設定される。また、選択パス範囲以外の範囲２００７においては、雑音レベル２００３に選択パス範囲２００１、２００２で用いた定数とは異なる定数を乗算することによって、雑音レベル２００３から所定量２００６だけ相関値レベルが上がった位置に第２のしきい値２００９が設定される。選択パス範囲２００１、２００２に設定された第１のしきい値２００８のレベルは、選択パス範囲以外の範囲２００７に設定された第２のしきい値２００９のレベルよりも大きい。
【００９２】
このように、本実施の形態におけるデータ受信装置は、上記実施の形態８の効果に加えて、しきい値も設定する際に用いる定数を雑音レベルに応じて求めるので、相関値が大きいパスの裾にレイクフィンガを割り当ててしまうことを確実に防ぐことができる。
【００９３】
（実施の形態１１）
図２１は、本発明の実施の形態１１に係るしきい値の設定方法のフローチャートである。本発明の実施の形態におけるデータ受信装置は、基準レベル算出部１０５は、定数を乗算する基準レベルを雑音レベルとして検出してしきい値算出部１０６へ出力する点及びしきい値決定部２０４において雑音レベルを基準にしきい値を設定する点が図１０と相違しており、その他の構成は図１及び図１０と同一構成であるのでその説明を省略する。
【００９４】
基準レベル算出部１０５は、遅延プロファイル生成部１０４にて生成した遅延プロファイルより雑音レベル２２０３を検出し、検出した雑音レベル２２０３をしきい値算出部１０６へ出力する。しきい値決定部２０４は、基準レベル算出部１０５から入力した雑音レベル２２０３に定数決定部２０３から入力した定数を乗算して、雑音レベル２２０３に応じたしきい値を設定する。しきい値は、雑音レベルから所定量相関値レベルが大きい位置に設定される。
【００９５】
次に、上記構成を有するデータ受信装置の動作について、図２１を用いて説明する。まず、基準レベル算出部１０５において、雑音レベルが算出されて記憶される（ＳＴ２１０１）。次に、選択パス範囲決定部２０２から入力した選択パス範囲、選択パス相関値検出部４０１から入力したパスのピークの相関値レベル及び定数決定部２０３から入力した定数を用いて、しきい値を設定する（ＳＴ２１０２）。なお、その他のしきい値算出部１０６の動作は、実施の形態５と同一であるので説明を省略する。
【００９６】
次に、このような方法により設定されたしきい値について、図２２及び図２３を用いて説明する。選択パス範囲が重複しない場合には、図２２に示すように、選択パス範囲２２０１においては、雑音レベル２２０３に定数を乗算することによって雑音レベル２２０３から所定量２２０４だけ上がった位置に第１のしきい値２２０８が設定される。また、選択パス範囲２２０２においては、雑音レベル２２０３に選択パス範囲２２０１で用いた定数とは異なる定数を乗算することによって雑音レベル２２０３から所定量２２０５だけ上がった位置に第１のしきい値２２０８が設定される。また、選択パス範囲以外の範囲２２０７においては、雑音レベル２２０３に選択パス範囲２２０１、２２０２で用いた定数とは異なる定数を乗算することによって雑音レベル２２０３から所定量２２０６だけ上がった位置に第２のしきい値２２０９が設定される。
【００９７】
次に、遅延プロファイルにおけるピークの位相が近いために、選択パス範囲が重複する場合について図２３を用いて説明する。選択パス範囲２３０１と選択パス範囲２３０２は、重複範囲２３０３にて重複する。しかし、上記にて説明したように、重複範囲２３０３においては、各パスのピークの相関値レベル２１０４、２１０５のうち、ピークの相関値レベルが高い方の選択パス範囲２３０１の第１のしきい値２２０８を設定する。そして、選択パス範囲２３０２は、重複範囲２３０３を除いた範囲２３０４に選択パス範囲２３０２の第１のしきい値２２０８が設定される。
【００９８】
このように、本実施の形態におけるデータ受信装置は、上記実施の形態９の効果に加えて、選択パス範囲２２０１、２２０２も雑音レベル２２０３に応じて第１のしきい値２２０８を設定するので、相関値レベルが大きいパスの裾にレイクフィンガを割り当ててしまうことを確実に防ぐことができる。また、選択パス範囲２３０１、２３０２が重複する場合は、各選択パス範囲２３０１、２３０２のピークの相関値レベルが高い方のピークの第１のしきい値２２０８を設定するので、重複部分２３０３に誤ってピークの相関値レベルが低い方の第１のしきい値２２０８を設定してしまうことにより、パスの裾にレイクフィンガを割り当ててしまうことを防ぐことができる。
【００９９】
（実施の形態１２）
図２４は、本実施の形態１２に係る遅延プロファイルとしきい値との関係を示す図である。本実施の形態は、基準レベル算出部１０５において雑音レベルを算出する点、しきい値決定部２０４に雑音レベルが入力する点が図１４と相違しており、その他の構成は上記実施の形態３と同一構成であるので説明は省略する。
【０１００】
しきい値決定部２０４は、第１の選択パス範囲決定部１４０１から入力する選択パス範囲、第２の選択パス範囲決定部１４０２から入力する選択パス範囲及び定数決定部２０３から入力する定数を用いて、各パスのピークの相関値レベルに応じたしきい値を設定する。しきい値決定部２０４におけるしきい値の決定は、第１の選択パス範囲決定部１４０１で設定した選択パス範囲は相関値レベルが大きく、第２の選択パス範囲決定部１４０２で設定した選択パス範囲は相関値レベルが小さくなるように、雑音レベル２４０５に所定の定数を乗算して設定する。そして、第１の選択パス範囲決定部１４０１及び第２の選択パス範囲決定部１４０２から入力した選択パス範囲の位相範囲は一部において重複するため、第１の選択パス範囲決定部１４０１及び第２の選択パス範囲決定部１４０２から入力した選択パス範囲を比較し、選択パス範囲の小さい第１の選択パス範囲決定部１４０１から入力した選択パス範囲を優先してしきい値を設定し、第１の選択パス範囲決定部１４０１で設定した選択パス範囲以外の範囲でかつ第２の選択パス範囲決定部１４０２で設定した選択パス範囲においては、第２の選択パス範囲決定部１４０２で設定した選択パス範囲が設定される。
【０１０１】
次に、しきい値決定部２０４における、しきい値の設定方法について説明する。選択パス範囲２４０３には、雑音レベル２４０５に定数を乗算して雑音レベル２４０５から所定量２４０６だけ相関値レベルが上がった位置に第３のしきい値２４１２を設定する。また、選択パス範囲２４０４には、雑音レベル２４０５に選択パス範囲２４０３で用いて定数とは異なる定数を乗算して、雑音レベル２４０５から所定量２４０７だけ相関値レベルが上がった位置に第３のしきい値２４１２を設定する。また、選択パス範囲２４０１の選択パス範囲２４０３と重複していない範囲には、雑音レベル２４０５に選択パス範囲２４０３、２４０４で用いた定数とは異なる定数を乗算して、雑音レベル２４０５から所定量２４０８だけ相関値レベルが上がった位置に第１のしきい値２４１３を設定する。また、選択パス範囲２４０２の選択パス範囲２４０４と重複していない範囲には、雑音レベル２４０５に選択パス範囲２４０１、２４０３、２４０４で用いた定数とは異なる定数を乗算して、雑音レベル１４０５から所定量２４０９だけ相関値レベルが上がった位置に第１のしきい値２４１３を設定する。このように設定したしきい値は、選択パス範囲２４０１、２４０２の範囲において、段差をもって形成される。また、選択パス範囲以外の範囲２４１１においては、雑音レベル２４０５に選択パス範囲２４０１、２４０２、２４０３、２４０４で用いた定数とは異なる定数を乗算して所定量２４１０だけ相関値レベルが上がった位置に第２のしきい値２４１４を設定する。なお、上記しきい値設定方法以外のデータ送信装置の動作は、実施の形態１と同一であるので説明を省略する。
【０１０２】
このように、選択パス範囲２４０１、２４０２の範囲のしきい値に段差を設けて設定したので、各パスのピークの立ち上がり及び立ち下がりに沿ってしきい値を設定することができ、相関値レベルが大きいパスの裾にレイクフィンガを割り当ててしまうことを確実に防ぐことができる。
【０１０３】
なお、本実施の形態においては、選択パス範囲２４０１、２４０２内に１つの選択パス範囲２４０３、２４０４を設けることとして段差を１段にしたが、選択パス範囲２４０１、２４０２内に２つ以上の選択パス範囲を設けて、ピークに近づくにしたがってしきい値のレベルが順次大きくなるように、段差を２段以上設けてしきい値を設定しても良い。
【０１０４】
（実施の形態１３）
図２５は、本実施の形態に係るデータ受信装置の構成を示すブロック図であり、図２６は、本実施の形態に係る遅延プロファイルとしきい値との関係を示す図である。本実施の形態においては、基準レベル算出部としきい値算出部を各々２つ設ける構成及びしきい値選択部２５０５を設ける構成が図１と相違しており、その他の構成は図１と同一構成であるので同一の符号を付して、その説明を省略する。
【０１０５】
第１の基準レベル算出部２５０１は、図２６に示すように、遅延プロファイルのピークを算出して第１のしきい値算出部２５０３へ出力する。第２の基準レベル算出部２５０２は、雑音レベルを検出して第２のしきい値算出部２５０４へ出力する。しきい値選択部２５０５は、外部から入力する伝搬路状態等のしきい値選択情報に基づいて、第１のしきい値算出部２５０３にて算出した第１のしきい値及び第２のしきい値算出部２５０４にて算出した第２のしきい値のいずれか一方のしきい値を、パス選択部１０７へ出力するように制御する制御信号を、第１のしきい値算出部２５０３及び第２のしきい値算出部２５０４へ出力する。第１のしきい値算出部２５０３は、第１の基準レベル算出部２５０１から入力する遅延プロファイルピーク情報に定数を乗算して、ピークから所定量２２０５だけ下がった位置に第１のしきい値２２０１を設定して、しきい値選択部２５０５の制御に基づいて、しきい値情報をパス選択部１０７へ出力する。第２のしきい値算出部２５０４は、第２の基準レベル算出部２５０２から入力する雑音レベル情報に定数を乗算して、雑音レベルから所定量２２０６だけ上がった位置に第２のしきい値２２０２を設定して、しきい値選択部２５０５の制御に基づいて、しきい値情報をパス選択部１０７へ出力する。しきい値選択部２５０５は、外部から入力するしきい値選択情報に基づいて、第１しきい値算出部２５０３及び第２しきい値算出部２５０４のいずれのしきい値情報を出力するかを制御する。
【０１０６】
次に、上記構成を有するデータ受信装置の動作について説明する。遅延プロファイル生成部１０４にて生成された遅延プロファイルは、第１の基準レベル算出部２５０１及び第２の基準レベル算出部２５０２へ出力される。第１の基準レベル算出部２５０１に入力した遅延プロファイルより、第１の基準レベル算出部２５０１において遅延プロファイルのピークを算出し、算出した遅延プロファイルピーク情報を第１のしきい値算出部２５０３へ出力し、第１のしきい値算出部２５０３において遅延プロファイルのピーク値２２０４に所定の定数を乗算して第１のしきい値２２０１を求め、求めた第１のしきい値をしきい値情報としてパス選択部１０７へ出力する。一方、第２の基準レベル算出部２５０２に入力した遅延プロファイルより、第２の基準レベル算出部２５０２において雑音レベル２２０３を算出し、第２のしきい値算出部２５０４へ出力して、第２のしきい値算出部２５０４にて雑音レベル２２０３に所定の定数を乗算して第２のしきい値２２０２を求め、求めた第２のしきい値をしきい値情報としてパス選択部１０７へ出力する。なお、その他の動作は上記実施の形態１と同一であるので説明を省略する。
【０１０７】
このように、本実施の形態におけるデータ受信装置は、マルチパスの影響が小さく比較的通信品質が良好な場合には、第１のしきい値２２０１を用いてレイクフィンガへ割り当て、マルチパスの影響が大きく通信品質が良好でない場合には、第２のしきい値２２０２を用いてレイクフィンガへ割り当てるので、多くのパスをレイクフィンガに割り当てることができて、雑音へのレイクフィンガの割り当てを抑制できる。
【０１０８】
（実施の形態１４）
図２７は、本発明の実施の形態１４に係る遅延プロファイルとしきい値との関係を示す図である。本発明の実施の形態においては、図２５の第２のしきい値算出部２５０４に図６のしきい値算出部１０６を用いるものであり、データ受信装置の構成は図２５と同一構成であるのでその説明を省略する。
【０１０９】
第２のしきい値算出部２５０４は、各パスの相関値レベルのピーク値に応じたしきい値を設定し、設定したしきい値情報をパス選択部１０７へ出力する。このようにして設定されたしきい値は、図２７に示すように、レベルが一定である第４のしきい値２７０１と、第１のしきい値７０８及び第２のしきい値７０９からなるしきい値２７０２との２つ設けられる。
【０１１０】
このように、本実施の形態における無線装置は、上記実施の形態１３の効果に加えて、第２のしきい値算出部２５０４において各パスの相関値レベルのピーク値に応じたしきい値を設定するため、マルチパス伝搬環境において、パスの裾にレイクフィンガを割り当ててしまうことを、各パスに対して同時に抑制することができる。
【０１１１】
なお、本実施の形態においては、第２の基準レベル算出部２５０２は、各パスの相関値レベルのピーク値を検出してピーク値に定数を乗算することとしたが、雑音レベルを検出して雑音レベルに定数を乗算しても同様の効果が得られる。また、第２のしきい値算出部２５０４は、図６に記載のしきい値算出部１０６としたが、図６に代えて図２、図４、図８、図１０、図１２、図１６のいずれかに記載したしきい値算出部１０６を用いても同様の効果が得られる。
【０１１２】
（実施の形態１５）
図２８は、本発明の実施の形態１５に係る遅延プロファイルとしきい値との関係を示す図である。本実施の形態におけるデータ受信装置は、上記実施の形態１３の第１のしきい値算出部２５０３及び第２のしきい値算出部２５０４の両方に図６のしきい値算出部１０６を用いたものであり、データ受信装置の構成は図２５と同一構成であるので、その説明を省略する。
【０１１３】
第１のしきい値算出部２５０３は、選択パス範囲７０１において、各パスの相関値レベルのピーク値に応じた第１のしきい値７０８を設定するとともに、選択パス範囲７０１以外の範囲において、第１のしきい値７０８よりレベルが小さい第２のしきい値７０９を設定する。したがって、第１のしきい値７０８と第２のしきい値７０９とからなるしきい値２８０１を設定する。第２のしきい値算出部２５０４は、第４の位相幅である選択パス範囲２８０３において、各パスの相関値レベルのピーク値に応じた第４のしきい値２８０２を設定するとともに、第５の位相幅である選択パス範囲２８０３以外の範囲には第５のしきい値２８０５を設定する。したがって、第４のしきい値２８０２と第５のしきい値２８０５とからなるしきい値２８０４を設定する。そして、第１のしきい値算出部２５０３及び第２のしきい値算出部２５０４にて設定したしきい値情報は、パス選択部１０７へ出力される。このように第１のしきい値算出部２５０３及び第２のしきい値算出部２５０４によって設定されたしきい値２８０１及びしきい値２８０４は、各々段差をもって設定される。
【０１１４】
このように、本実施の形態におけるデータ受信装置は、上記実施の形態１３の効果に加えて、第１のしきい値２８０１と第２のしきい値２８０２により、主波と遅延波のレベル差の大きいマルチパス伝搬環境のときにも、主波の裾にレイクフィンガを割り当ててしまうことを避けると同時に、所望パスを確実に高精度に捕捉することができる。
【０１１５】
なお、本実施の形態においては、第１の基準レベル算出部２５０１及び第２の基準レベル算出部２５０２は、各パスの相関値レベルのピーク値を検出してピーク値に定数を乗算することとしたが、雑音レベルを検出して雑音レベルに定数を乗算しても同様の効果が得られ、第１のしきい値算出部２５０３及び第２のしきい値算出部２５０４に上記実施の形態１から実施形態１３のいずれのしきい値算出部を用いても同様の効果が得られる。
【０１１６】
上記実施の形態１から実施の形態１６においては、レイクフィンガに割り当てられるパスのピークの数は２つにし、定数及び選択パス範囲はパスの数に応じた数だけ設定することとしたが、レイクフィンガに割り当てられるパスのピークの数に応じて定数及び選択パス範囲の設定は任意である。また、上記実施の形態１から実施の形態１６に記載したデータ受信装置は、基地局装置及び通信端末装置に適用することが可能である。
【０１１７】
【発明の効果】
以上説明したように、本発明によれば、ノイズの影響を極力少なくし、また、遅延プロファイルにおけるピークの裾の部分をレイクフィンガに割り当ててしまうことを防いで所定レベルの受信データを得ることができる。
【図面の簡単な説明】
【図１】本発明の実施の形態１に係るデータ受信装置の構成を示すブロック図
【図２】本発明の実施の形態１に係るしきい値算出部の構成を示すブロック図
【図３】本発明の実施の形態１に係る遅延プロファイルとしきい値との関係を示す図
【図４】本発明の実施の形態２に係るしきい値算出部の構成を示すブロック図
【図５】本発明の実施の形態２に係る遅延プロファイルとしきい値との関係を示す図
【図６】本発明の実施の形態３に係るしきい値算出部の構成を示すブロック図
【図７】本発明の実施の形態３に係る遅延プロファイルとしきい値との関係を示す図
【図８】本発明の実施の形態４に係るしきい値算出部の構成を示すブロック図
【図９】本発明の実施の形態４に係る遅延プロファイルとしきい値との関係を示す図
【図１０】本発明の実施の形態５に係るしきい値算出部の構成を示すブロック図
【図１１】本発明の実施の形態５に係るしきい値設定のフローチャート
【図１２】本発明の実施の形態５に係る遅延プロファイルとしきい値との関係を示す図
【図１３】本発明の実施の形態５に係る遅延プロファイルとしきい値との関係を示す図
【図１４】本発明の実施の形態６に係るしきい値算出部の構成を示すブロック図
【図１５】本発明の実施の形態６に係る遅延プロファイルとしきい値との関係を示す図
【図１６】本発明の実施の形態７に係る遅延プロファイルとしきい値との関係を示す図
【図１７】本発明の実施の形態８に係る遅延プロファイルとしきい値との関係を示す図
【図１８】本発明の実施の形態９に係るしきい値算出部の構成を示すブロック図
【図１９】本発明の実施の形態９に係る遅延プロファイルとしきい値との関係を示す図
【図２０】本発明の実施の形態１０に係る遅延プロファイルとしきい値との関係を示す図
【図２１】本発明の実施の形態１１に係るしきい値設定方法のフローチャート
【図２２】本発明の実施の形態１１に係る遅延プロファイルとしきい値との関係を示す図
【図２３】本発明の実施の形態１１に係る遅延プロファイルとしきい値との関係を示す図
【図２４】本発明の実施の形態１２に係る遅延プロファイルとしきい値との関係を示す図
【図２５】本発明の実施の形態１３に係るデータ受信装置の構成を示すブロック図
【図２６】本発明の実施の形態１３に係る遅延プロファイルとしきい値との関係を示す図
【図２７】本発明の実施の形態１４に係る遅延プロファイルとしきい値との関係を示す図
【図２８】本発明の実施の形態１５に係る遅延プロファイルとしきい値との関係を示す図
【図２９】従来の遅延プロファイルとしきい値との関係を示す図
【符号の説明】
１０４　遅延プロファイル生成部
１０５　基準レベル算出部
１０６　しきい値算出部
１０７　パス選択部
１０８　レイクフィンガ
１０９　レイク合成部
１１０　復号部
２０１　選択パス位相検出部
２０２　選択パス範囲決定部
２０３　定数決定部
２０４　しきい値決定部
４０１　選択パス相関値検出部
【図１】
2004023361.tif 000003
【図２】
2004023361.tif 000004
【図３】
2004023361.tif 000005
【図４】
2004023361.tif 000006
【図５】
2004023361.tif 000007
【図６】
2004023361.tif 000008
【図７】
2004023361.tif 000009
【図８】
2004023361.tif 000010
【図９】
2004023361.tif 000011
【図１０】
2004023361.tif 000012
【図１１】
2004023361.tif 000013
【図１２】
2004023361.tif 000014
【図１３】
2004023361.tif 000015
【図１４】
2004023361.tif 000016
【図１５】
2004023361.tif 000017
【図１６】
2004023361.tif 000018
【図１７】
2004023361.tif 000019
【図１８】
2004023361.tif 000020
【図１９】
2004023361.tif 000021
【図２０】
2004023361.tif 000022
【図２１】
2004023361.tif 000023
【図２２】
2004023361.tif 000024
【図２３】
2004023361.tif 000025
【図２４】
2004023361.tif 000026
【図２５】
2004023361.tif 000027
【図２６】
2004023361.tif 000028
【図２７】
2004023361.tif 000029
【図２８】
2004023361.tif 000030
【図２９】
2004023361.tif 000031